(57)【要約】【課題】  相手から取った駒の色を、自分の駒の色に変えることができるようにして、色別の駒での対局ができるようにしようとするものである。【解決手段】  通常使用している駒の厚さの、半分の厚さのＡ駒とＢ駒の二個に分割した駒を設け、Ａ駒の表面とＢ駒の裏面が同じ色になるように一色目の色を施し、次にＡ駒の裏面とＢ駒の表面が同じ色になるように二色目の色を施して、Ａ駒とＢ駒の其々の駒の表面と裏面が異なるように色を設ける。そして、Ａ駒とＢ駒を重ね併せて一つの駒として使用できる状態にして使用する。Ａ駒とＢ駒の上下を入れ替えることで、使用時の駒の表と裏の両面の色を同時に変えることができるので、よって、相手から取った駒の色を自分の駒の色に変えることができ、色別の駒での対局ができるようになる。【選択図】図１
0003130436.tif 000002
【実用新案登録請求の範囲】
【請求項１】
通常使用する駒の厚さの、半分の厚さのＡ駒とＢ駒の二個に分割した駒を設け、Ａ駒の表面とＢ駒の裏面が同じ色になるように一色目の色を施し、次にＡ駒の裏面とＢ駒の表面が同じ色になるように二色目の色を施して、Ａ駒とＢ駒の其々の駒の表面と裏面が異なるように色を設ける。そして、Ａ駒とＢ駒を重ね併せて一つの駒として使用できる状態にして使用する。以上のような組み合わせで、Ａ駒とＢ駒の上下を入れ替えることにより、使用時の駒の色が変えられるようにしたことを特徴とする色別対局用将棋駒。
【考案の詳細な説明】
【技術分野】
【０００１】  本考案は、将棋の駒に関するものである。
【背景技術】
【０００２】  従来の将棋の駒では、駒を取ったり取られたりして双方が同じ駒を使い合い、しかも表と裏の両面を使うため、双方が共に使えるように同じ色の駒を使用していた。
【考案の開示】
【考案が解決しようとする課題】
【０００３】  しかし、同じ色の駒では対局場面において、相手の駒と自分の駒の配置が一見して判りづらい面があった。そこで、相手から取った駒の色を自分の駒の色に変えることができるようにして、判りやすい色別の駒での対局ができるようにしようとするものである。
【課題を解決するための手段】
【０００４】  そこで、色別による対局ができるように、通常使用している駒の厚さの、半分の厚さのＡ駒とＢ駒の二個に分割した駒を設け（図１）（図３）、Ａ駒の表面とＢ駒の裏面が同じ色になるように一色目の色を施し、次にＡ駒の裏面とＢ駒の表面が同じ色になるように二色目の色を施して、Ａ駒とＢ駒の其々の駒の表面と裏面が異なるように色を設ける。そして、Ａ駒とＢ駒を連結具や枠で重ね併せて一つの駒として使用できる状態にして使用し（図２）（図４）、Ａ駒とＢ駒の上下を入れ替えることににより、使用時の駒の色を変えることができるようにする。
【考案の効果】
【０００５】  よって、相手から取った駒の色を自分の駒の色に変えることができるので、色別の駒を使った対局ができるようになり、色別により自分の駒と相手の駒の見分けがより簡単にでき、駒の配置や戦局がより判り易くなる。又、色が付くことにより、子供達もより興味を持って将棋を楽しむことができるようになり、将棋人口を増やす効果も期待できる。
【考案を実施するための最良の形態】
【０００６】  本考案に係る色別対局用将棋駒について図面を参照に説明すると、通常使用している駒の厚さの、半分の厚さのＡ駒１（１）とＢ駒１（２）の二個に分割した駒を設け、Ａ駒１（１）の表面とＢ駒１（２）の裏面が同じ色になるように一色目の色を施し、次にＡ駒１（１）の裏面とＢ駒１（２）の表面が同じ色になるように二色目の色を施して、Ａ駒１（１）とＢ駒１（２）の其々の駒の表面と裏面が異なるように色を設ける。そして、Ａ駒１（１）とＢ駒１（２）を連結して、かつ反転ができるように連結具（３）を凹部（４）に差し込み、Ａ駒１（１）とＢ駒１（２）を重ね併せて一つの駒として使用できる状態にして使用する。使用時の駒の色を変える時は、連結具（３）を軸にして本を開くようにＡ駒１（１）を反転させ、Ａ駒１（１）とＢ駒１（２）の上下を入れ替えて使用する。
なお、連結具を用いる代りに枠（７）を用いて使用することもできる。Ａ駒２（５）とＢ駒２（６）を重ね併せて枠（７）の中にはめ込み、一つの駒として使用できる状態にして使用し、使用時の駒の色を変える時は、Ａ駒２（５）かＢ駒２（６）の一方を枠（７）から外し、Ａ駒２（５）とＢ駒２（６）の上下を入れ替え、枠（７）に戻して使用する。
【図面の簡単な説明】
【０００７】
【図１】  本考案に係る色別対局用将棋駒を、分解した状態の斜視図である。
【図２】  本考案に係る色別対局用将棋駒を、連結具で重ね併せて使用状態にした斜視図である。
【図３】  本考案に係る色別対局用将棋駒を、分解した状態の斜視図である。
【図４】  本考案に係る色別対局用将棋駒を、枠で重ね併せて使用状態にした斜視図である。
【符号の説明】
【０００８】  （１）      Ａ駒１
（２）      Ｂ駒１
（３）      連結具
（４）      凹部
（５）      Ａ駒２
（６）      Ｂ駒２
（７）      枠
【図１】
0003130436.tif 000003
【図２】
0003130436.tif 000004
【図３】
0003130436.tif 000005
【図４】
0003130436.tif 000006
【手続補正書】
【提出日】平成18年12月24日(2006.12.24)
【手続補正１】
【補正対象書類名】実用新案登録請求の範囲
【補正対象項目名】請求項１
【補正方法】変更
【補正の内容】
【請求項１】
通常使用する駒の厚さの、半分の厚さのＡ駒とＢ駒の二個に分割した駒を設け、Ａ駒の表面とＢ駒の裏面が同じ色になるように一色目の色を施し、次にＡ駒の裏面とＢ駒の表面が同じ色になるように二色目の色を施して、Ａ駒とＢ駒の其々の駒の表面と裏面が異なるように色を設ける。そして、Ａ駒とＢ駒を重ね併せて一つの駒として使用できる状態にして使用する。以上のような組み合わせで、Ａ駒とＢ駒の上下を入れ替えることにより、使用時の駒の表と裏の両面の色が、同時に変えられるようにしたことを特徴とする色別対局用将棋駒。
【手続補正２】
【補正対象書類名】明細書
【補正対象項目名】０００４
【補正方法】変更
【補正の内容】
【０００４】  そこで、色別による対局ができるように、通常使用している駒の厚さの、半分の厚さのＡ駒とＢ駒の二個に分割した駒を設け（図１）（図３）、Ａ駒の表面とＢ駒の裏面が同じ色になるように一色目の色を施し、次にＡ駒の裏面とＢ駒の表面が同じ色になるように二色目の色を施して、Ａ駒とＢ駒の其々の駒の表面と裏面が異なるように色を設ける。そして、Ａ駒とＢ駒を連結具や枠で重ね併せて一つの駒として使用できる状態にして使用し（図２）（図４）、Ａ駒とＢ駒の上下を入れ替えることにより、使用時の駒の表と裏の両面の色を同時に変えることができるようにする。
【手続補正３】
【補正対象書類名】明細書
【補正対象項目名】０００６
【補正方法】変更
【補正の内容】
【０００６】  本考案に係る色別対局用将棋駒について図面を参照に説明すると、通常使用している駒の厚さの、半分の厚さのＡ駒１（１）とＢ駒１（２）の二個に分割した駒を設け、Ａ駒１（１）の表面とＢ駒１（２）の裏面が同じ色になるように一色目の色を施し、次にＡ駒１（１）の裏面とＢ駒１（２）の表面が同じ色になるように二色目の色を施して、Ａ駒１（１）とＢ駒１（２）の其々の駒の表面と裏面が異なるように色を設ける。そして、Ａ駒１（１）とＢ駒１（２）を連結して、かつ反転ができるように連結具（３）を凹部（４）に差し込み、Ａ駒１（１）とＢ駒１（２）を重ね併せて一つの駒として使用できる状態にして使用する。使用時の駒の色を変える時は、連結具（３）を軸にして本を開くようにＡ駒１（１）を反転させ、Ａ駒１（１）とＢ駒１（２）の上下を入れ替えて使用する。
なお、連結具（３）を用いる代りに枠（７）を用いて使用することもできる。Ａ駒２（５）とＢ駒２（６）を重ね併せて枠（７）の中にはめ込み、一つの駒として使用できる状態にして使用し、使用時の駒の色を変える時は、Ａ駒２（５）かＢ駒２（６）の一方を枠（７）から外し、Ａ駒２（５）とＢ駒２（６）の上下を入れ替え、枠（７）の中に戻して使用する。